(57)【要約】      （修正有）【課題】ベッドに寝た状態からベッド下部に設置した汎用の水洗トイレへの自然な着座を実現することで、排泄時における利用者の心理的圧迫感をなくし、心地良さを実現する介護ベッドを提供する。【解決手段】背もたれ板１と、膝の裏側にあてがって利用者を持ち上げる横バー３と、背もたれ板の回転軸と横バーの位置を調整する支点移動装置２と、足部落下装置４と、臀部支持ベルト装置５と、便座開閉遮蔽蓋６を持ち、洋式水洗トイレ８をベッド下に設置する。背もたれ板は油圧ジャッキ１１で上げ下げし、横バーはてこの原理で上げ下げし、背もたれ板の傾斜と臀部支持ベルトと横バーで滑り台のように便座へ滑り落ちさせ、足部落下装置は足をベッドから床まで下ろす。ベッドへの復帰は、横バーの膝あげをベッド面より上まであげることで臀部と足をベッドの床面まで持ち上げ、ベッドにもどす。【選択図】図１
2015073891.tif 000002
【特許請求の範囲】
【請求項１】
人間工学・生理学による人の下半身の形を考慮した背もたれ板と、膝の裏側にあてがって利用者を持ち上げる横バーと、背もたれ板の回転軸と横バーの位置を調整する支点移動装置と、足部落下装置と、臀部支持ベルト装置と、便座開閉遮蔽蓋を持つことを特徴とする、水洗トイレ付き介護ベッド。
【請求項２】
前記横バー、背もたれ板と支点移動装置は、膝裏側にバーを充てて利用者を持ち上げるときの膝ラインとお尻の重心ラインの距離を調整し、背もたれ板は油圧ジャッキで上げ下げし、横バーはてこの原理で上げ下げし、背もたれ板の傾斜と臀部支持ベルトと横バーで滑り台のように便座へ滑り落ちさせ、足部落下装置は足をベッドから床まで下ろし、横バーの膝あげをベッド面より上まであげることで臀部と足をベッドの床面まで持ち上げる事を可能とする。更に、便座開閉遮蔽蓋はベッドとしての機能も持つことを特徴とする請求項１記載のトイレ一体化介護ベッド。
【発明の詳細な説明】
【技術分野】
【０００１】  この発明は、介護ベッドにトイレ機能を設置する際の構成、形状及び動作に関する。
【背景技術】
【０００２】  従来の介護ベッドに於ける一人でトイレに行けない方の排泄は、脇に置いたポータブルトイレを利用するか、または、車椅子に乗ってトイレまで移動しており、利便性が悪かった。
また、車椅子の移乗をなくした介護ベッドシステムとしては、特許文献１に示すように、ベッド状態と被介護者が座位できる車椅子状態に変換可能に構成した車輪付介護ベッドがあるが、四角状の枠体を用いて、直線的な下降／上昇を行っているので、利用者の心地良さやスムーズさなどの面からは課題があった。
特許文献２に示すような、入浴、排便させる介護を一人で行えるように組み合わせた床ずれ防止機能を備えた介護ベッドが提案されているが、これは、寝たまま使用出来ると言うものであり、利用者心理的圧迫感や心地良さなどの面からは課題があった。
特許文献３に示すような、介護ベッド用トイレ装置が提案されているが、排泄物の確実な排出や利用者の腰部・臀部洗浄を容易にするものであり、利用者心理的圧迫感や心地良さなどを解決するものではなかった。
【先行技術文献】
【特許文献】
【０００３】
【特許文献１】特許公開２０１０−２６８８７２
【特許文献２】特許公開２００９−２７９３６１
【特許文献３】特許公開２００７−７５３０９
【発明の概要】
【発明が解決しようとする課題】
【０００５】  以上の技術では、障がい者・難病患者・高齢者の方などが求める、心地よくベッドで、通常の水洗トイレを使える介護ベッドは実現できない。
そこで、この発明は、ベッドに寝た状態からベッド下部に設置した汎用の水洗トイレへの自然な着座を実現することで、排泄時における利用者の心理的圧迫感をなくし、心地良さを実現する介護ベッドを提供することを課題とする。
【課題を解決するための手段】
【０００６】  以上の課題を解決するために、第一発明は、人間工学・生理学による人の下半身の形を考慮した背もたれ板と、膝の裏側にあてがって利用者を持ち上げる横バーと、背もたれ板の回転軸と横バーの位置を調整する支点移動装置と、足部落下装置と、臀部支持ベルト装置と、便座開閉遮蔽蓋を持つことを特徴とする、水洗トイレ付き介護ベッド。
また、第二発明は、前記横バー、背もたれ板と支点移動装置は、膝裏側にバーを充てて利用者を持ち上げるときの膝ラインとお尻の重心ラインの距離を調整し、背もたれ板は油圧ジャッキで上げ下げし、横バーはてこの原理で上げ下げし、背もたれ板の傾斜と臀部支持ベルトと横バーで滑り台のように便座へ滑り落ちさせ、足部落下装置は足をベッドから床まで下ろし、横バーの膝あげをベッド面より上まであげることで臀部と足をベッドの床面まで持ち上げる事を可能とする。更に、便座開閉遮蔽蓋はベッドとしての機能も持つことを特徴とする請求項１記載のトイレ一体化介護ベッド。
【発明の効果】
【０００７】  第一発明、または第二発明により、自身で、自力排便・排尿を手助けする機能を持った水洗トイレ付き介護ベッドを提供でき、
○  トイレでの移動行動の究極の利便化が図れる
○  夜のトイレの不自由さを解消
○  介護人の不要化、または、最小限化が図れる
○  ベッドでの排泄時に、利用者の心理的圧迫感を軽減し、心地良さを実現する
○  油圧ジャッキ、てこの原理使用により、停電時でも利用可能
等の、効果がある。
【図面の簡単な説明】
【０００８】
【図１】この発明の一実施形態を示す断面図（寝ている状態）である。
【図２】この発明の一実施形態を示す断面図と臀部支持ベルトを上面から見た場合と斜めから見た場合の図面である。
【図３】この発明の一実施形態を示す断面図（足を降ろした状態）である。
【図４】この発明の一実施形態を示す断面図（臀部を降ろす状態）である。
【図５】この発明の一実施形態を示す断面図（便座に着座した状態）である。
【図６】この発明の一実施形態を示す断面図（ベッド面までもどす状態）である。横バーの膝あげをベッド面より上まであげることで、臀部も含め、ベッド面まで、臀部と足をもどすことが出来る
【図７】ベッドマットの配置例である。便座開閉遮蔽蓋はベッドとしての機能も持つ
【発明を実施するための形態】
【０００９】この発明の一実施形態を図１から図７に示す。
図１は、就寝時の状態である。背もたれ板１、便座開閉遮蔽蓋６及び下肢部ベッド板７は水平になっており、ベッド板として機能している。油圧ジャッキ１１及びペダル１２は背もたれ板１持ち上げるために使われる。
支点移動装置２とペタル２１は、背もたれ板１の回転軸ラインと横バー３の間隔を調整する機能を持つ。
横バー３はペダル３１により、てこの原理で上下に動き、利用者の膝のうちがわより膝を持ち上げたり降ろしたりする。背もたれ板１と連携して動くことで、利用者の便座へのソフトランディングや、ベッドへスムーズにもどす事を可能とする。
足部落下装置４はペダル４１により、てこの原理で上下に動き、下肢部ベッド板７を開閉させて、足を床に降ろすことを可能とする。
臀部支持ベルト５は、ベルトの張力を活用し、便座開閉遮蔽蓋６を外した後の臀部をやさしく包み、便座へのソフトランディングを可能とする。
便座開閉遮蔽蓋６は、トイレの便座の遮蔽蓋とベッド板としての両方の機能を有し、トイレ使用時はスライドして収納される。
洋式水洗トイレ８は、一般の汎用水洗トイレである。
図２は、臀部支持ベルト５の詳細のイメージを示すための図。ベッドの断面図、上面から見た図と斜めから見た図である。また、支点移動装置２とペダル２１及び、横バー３とペダル３１は連携して動作するイメージを示している。
臀部支持ベルト５は、横バー３と背もたれ板１と連携し、便座へ滑り落ちさせスムーズな着座を可能とする。
図３は、足部を床へ降ろした状態図である。足部落下装置４はペダル４１を使い、てこの原理で持ち上がり、下肢部ベッド板７を押し上げて開き、足を床に降ろせるようにする。
図４は、便座開閉遮蔽蓋６を開けてベッド内に収納するときに横バー３と臀部支持ベルト５により、臀部をベッドで持ち支えするイメージ図である。
図５は、背もたれ板１が起き上がり、横バー３の降下の動きと合わせ、水洗トイレの便座に着座した状態を示す。これで、水洗トイレの通常での利用が出来る。
図６は、トイレ使用後のベッドへの復帰のイメージ図である。膝裏に充てた、横バー３をベッドの面より高めに持ち上げ、背もたれ板１を倒すことにより、ベッドに寝た状態へ復帰するイメージを示している。膝裏に充てた横バー３により、人の腕で持ち上げるような優しさで、ベッドへの復帰が可能となる。
図７は、配置例で、背もたれ板１、便座開閉遮蔽蓋６，下肢部ベッド板７臀部板の配置例を示している。便座開閉遮蔽蓋６の上のマットは、トイレ使用開始と終了時に各々取り付けと取り外しを行う。
【実施形態の効果】
【００１０】  この実施形態によれば、機能と利用者の気持ち（心地良さ）を重視した排泄システムを提供できる。このシステムでは、介護人一人でも操作できるで、トイレまで誘導できない身障者・難病患者・高齢者が、トイレにおいてと同じ感覚で排便・排尿が出来るようになり、排泄が楽なものとなる。
【他の実施形態】
図１〜７の実施形態では、背もたれ板１の持ち上げは油圧ジャッキを使い、横バー３、支点移動装置２及び足部落下装置４は、てこの原理で上昇・下降を行っているが、モーターを使う、等、他の方法でも構わない。
臀部支持ベルト５は、ベルトとしているが、張力があり、利用者の臀部をやさしく包むものであれば、他のものでも構わない。
下肢部ベッド板７は折れ曲がっているが、下肢を自然に下ろせればよいので、スライド式などでも良い。
横バー３は、円筒形で示しているが、膝の内側から持ち上げるタイプであれば、他の形状でも構わない。
【符号の説明】
【００１１】１    背もたれ板
１１  油圧ジャッキ
１２  （油圧ジャッキを操作する）ペダル
２    支点移動装置
２１  （支点移動装置を操作する）ペダル
３    横バー
３１  （横バーを操作する）ペダル
４    足部落下装置
４１  （足部落下装置を操作する）ペダル
５    臀部支持ベルト
６    便座開閉遮蔽蓋
７    下肢部ベッド板
８    洋式水洗トイレ
【図１】
2015073891.tif 000003
【図２】
2015073891.tif 000004
【図３】
2015073891.tif 000005
【図４】
2015073891.tif 000006
【図５】
2015073891.tif 000007
【図６】
2015073891.tif 000008
【図７】
2015073891.tif 000009